(57)【要約】【課題】資産管理番号を記載したラベルシールをパーソナルコンピュータ（ＰＣ）に貼付する資産管理では、ラベルシールの物理的な磨耗、破損の発生、また資産管理番号の変更時はラベルシールの再作成が必要という問題点を有していた。【解決手段】資産管理者が、ＰＣ内の不揮発性メモリに資産管理番号を登録し、起動画面とセットアップ画面に資産管理番号を表示させることで、従来では各ＰＣの資産管理番号を手書き、または印刷したラベルシールをＰＣに貼付して管理していたが、これによりラベルシールの物理的な磨耗、破損の発生をなくすことができ、また資産管理番号を変更する場合にラベルシールの再作成が容易になる。【選択図】図１
2008139959.tif 000002
【特許請求の範囲】
【請求項１】
資産管理者が情報機器を管理する資産管理番号を記憶させる不揮発性メモリと、
前記不揮発性メモリに前記資産管理番号を登録させる手段と、
前記資産管理番号を前記情報機器の起動画面に表示することを特徴とする情報機器。
【請求項２】
前記資産管理番号を登録させる手段であるセットアップ画面には、
登録済みの前記資産管理番号の表示欄と、
前記資産管理番号の編集を行う設定画面を起動する編集ボタンと、
を備えたことを特徴とする請求項１に記載の情報機器。
【請求項３】
前記資産管理番号の設定画面には、
前記資産管理番号を編集入力する入力欄と、
前記入力欄において前記資産管理番号を編集後、不揮発性メモリに前記資産管理番号を登録することを決定する登録ボタンと、
を備えたことを特徴とする請求項２に記載の情報機器。
【請求項４】
前記資産管理番号を登録させる手段はソフトウェアで構成され、
前記不揮発性メモリに記憶されることを特徴とする請求項１に記載の情報機器。
【請求項５】
前記セットアップ画面には、
前記資産管理番号を前記情報機器の起動画面に表示する表示ボタン、または非表示する非表示ボタンをそれぞれ備え、
資産管理者が起動画面に前記資産管理番号を表示、または非表示することを選択することを可能としたこと特徴とする請求項２に記載の情報機器。
【請求項６】
情報機器を管理する資産管理番号を請求項１に記載の前記情報機器に内蔵した不揮発性メモリに記憶させる資産管理番号設定方法であって、
セットアップ画面を起動して、表示欄に表示される登録済みの資産管理番号を表示して確認し、
セットアップ画面における編集ボタンを選択して資産管理番号を編集、削除または新規に資産管理番号を登録するための設定画面を起動し、
設定画面における入力欄へ資産管理番号を編集入力して、
設定画面における登録ボタンを選択して資産管理番号を編集入力して確定すること特徴とする情報機器の資産管理番号設定方法。
【発明の詳細な説明】
【技術分野】
【０００１】
本発明は、企業内の代表的な情報機器であるパーソナルコンピュータ（以下、ＰＣ）の資産管理の機能に関するものである。
【背景技術】
【０００２】
近年、ＰＣに代表される情報機器は生活の様々な場面でその活用が進み、特に企業活動においては必要不可欠な機器となっている。こうした状況において、企業内のＰＣの資産管理の必要性も増加している。
【０００３】
以下に従来のＰＣの資産管理について説明する。
【０００４】
従来、ＰＣの資産管理はラベルシールなどに管理番号を手書き、または印刷したものをＰＣ本体に貼付する方法が一般的であった。
【０００５】
図４は従来のＰＣのためのラベルシールによる資産管理例を示すものである。
【０００６】
図４において、１は携帯型のＰＣである。２０は資産管理番号を記載したラベルシールである。ラベルシール２０は、ＰＣ１上のＰＣ操作に支障のない箇所に貼付され、資産管理番号を示す働きをする。
【特許文献１】特開２００５−１０９８２号公報
【特許文献２】特開２００５−１４８９７４号公報
【発明の開示】
【発明が解決しようとする課題】
【０００７】
しかしながら上記の従来の構成では、ラベルシールの物理的な磨耗、破損の発生、また資産管理番号を変更する場合にラベルシールの再作成が必要という問題点を有していた。
【０００８】
本発明は上記従来の問題点を解決するもので、資産管理者が物理的に磨耗、破損しない資産管理番号をＰＣに登録、編集する手段を提供することを目的とする。
【課題を解決するための手段】
【０００９】
本発明の請求項１に記載の発明は資産管理者が情報機器を管理する資産管理番号を記憶させる不揮発性メモリと、前記不揮発性メモリに前記資産管理番号を登録させる手段と、前記資産管理番号を前記情報機器の起動画面に表示することを特徴とする情報機器としたものであり、資産管理番号をＰＣ内のＲＯＭに登録することにより、ＰＣの起動画面とセットアップ画面に資産管理番号を表示することができるという作用を有する。
【発明の効果】
【００１０】
以上のように本発明は、資産管理番号をＰＣ内の不揮発性メモリに登録することにより、ＰＣの起動画面とセットアップ画面に資産管理番号を表示することができる。従来では各ＰＣの資産管理番号を手書き、または印刷したラベルシールをＰＣに貼付して管理していたが、これによりラベルシールの物理的な磨耗、破損の発生をなくすことができ、また資産管理番号を変更する場合にラベルシールの再作成が容易になる。
【発明を実施するための最良の形態】
【００１１】
以下、本発明の実施の形態について、図１から図３を用いて説明する。
【００１２】
（実施の形態１）
図１は本発明のＰＣの起動画面に資産管理番号を表示した図であります。
【００１３】
図１において、１はＰＣ本体、２は起動画面に表示される資産管理番号、３は起動画面に表示されるＰＣメーカーロゴから構成される。
【００１４】
図２はＰＣのセットアップ画面を表した図であります。
【００１５】
図２において、４はＰＣ内の不揮発性メモリ（以下、ＲＯＭ）にソフトウェアとして記憶され、資産管理番号を同じくＲＯＭに登録する手段であるセットアップ画面、５は登録済みである資産管理番号を表示する表示欄、６は資産管理番号の編集を行う設定画面を起動する編集ボタン、７は資産管理番号の表示ボタン、８は非表示ボタンから構成される。
【００１６】
図３はＰＣのセットアップ画面の資産管理番号の設定画面を表した図であります。
【００１７】
図３において、９はセットアップ画面４同様、ＲＯＭにソフトウェアとして記憶され、資産管理番号をＲＯＭに登録する手段である設定画面、１０は資産管理番号を編集入力する入力欄、１１はＲＯＭに資産管理番号を登録することを決定する登録ボタンから構成される。
【００１８】
以上のように構成されたＰＣの資産管理について、図１、図２、図３を用いてその動作を説明する。
【００１９】
まず、ＰＣ１の起動画面は、資産管理番号２がメーカーロゴ３表示と共に表示されるものである。登録済みの資産管理番号２は、ＰＣ１のセットアップ画面４を起動し、資産管理番号の表示欄５に表示され、登録済みの資産管理番号を確認する、または表示欄５に資産管理番号が表示されない場合は、資産管理番号が未登録であることを確認できる。次に資産管理番号を編集する、あるいは資産管理番号を新規に登録するにはセットアップ画面４において編集ボタン６を選択して資産管理番号の設定画面９を起動し、設定画面９における入力欄１０で資産管理番号を編集入力する。さらに設定画面９における登録ボタン１１を選択することにより、資産管理番号を編集入力を確定して資産管理番号をＰＣ１内のＲＯＭに登録するものである。
【００２０】
また、ＰＣ１の起動画面の資産管理番号２は、セットアップ画面４の資産管理番号の表示ボタン７と非表示ボタン８の設定により表示、非表示を選択できるものである。
【００２１】
以上のように、本実施の形態によれば、資産管理番号をＰＣ内のＲＯＭに登録することにより、ＰＣの起動画面とセットアップ画面に資産管理番号を表示することができる。従来では各ＰＣの資産管理番号を手書き、または印刷したラベルシールをＰＣに貼付して管理していたが、これによりラベルシールの物理的な磨耗、破損の発生をなくすことができ、また資産管理番号を変更する場合にラベルシールの再作成が容易になる。
【００２２】
なお、以上の説明では、セットアップ画面４はＰＣ内のＲＯＭに備える機能としたが、アプリケーションの形態であってもよい。資産管理番号の登録は、ＲＯＭ内のセットアアップ、またはアプリケーションによらず、資産管理者のみ行えるよう使用権限を設けるものとする。
【００２３】
また、本実施の形態において、ＰＣ起動画面の資産管理番号の表示、非表示を選択するボタン７，８を設けたが、これらのボタンを設けず資産管理番号を登録した場合のみ表示させてもよい。ＰＣ起動画面のメーカーロゴ表示はない場合があることはいうまでもない。
【００２４】
また、不揮発性メモリをＲＯＭ（Ｒｅａｄ  Ｏｎｌｙ  Ｍｅｍｏｒｙ）としたが、ＰＣの電源であるＡＣ電源、バッテリを取り去っても記憶内容が消去されないメモリであればＲＯＭである必要はない。例えば記憶内容の追記、書き換え可能なフラッシュメモリ、ＰＣ内のハードディスクに資産管理番号を記憶させても良い。
【００２５】
さらに、大量のＰＣの資産管理番号を新規登録する場合には、追記、書き換え可能な不揮発性メモリをＲＯＭライタによって一度に資産管理番号を追記して、その後ＰＣ内のプリント配線板に実装しても良いし、また、ＰＣに不揮発性メモリを追記、書き換え可能な特別な端子を設けてＲＯＭライタによって資産管理番号を追記、再登録してもよい。
【産業上の利用可能性】
【００２６】
本発明にかかる情報機器の資産管理番号の登録機能は、資産管理番号を情報機器内の不揮発性メモリに登録することにより、情報機器の起動画面とセットアップ画面に資産管理番号を表示することができ、従来では各ＰＣの資産管理番号を手書き、または印刷したラベルシールをＰＣに貼付して管理していたが、これによりラベルシールの物理的な磨耗、破損の発生をなくすことができ、また資産管理番号を変更する場合にラベルシールの再作成が容易になるといった効果を有し、企業内の代表的な情報機器であるパーソナルコンピュータの資産管理の用途等に有用である。
【図面の簡単な説明】
【００２７】
【図１】本発明のＰＣの起動画面に資産管理番号を表示した図
【図２】資産管理を含むＰＣのセットアップ画面を表した図
【図３】セットアップ画面の資産管理番号の設定画面を表した図
【図４】ラベルシールによるＰＣの資産管理を例示した図
【符号の説明】
【００２８】
１  パーソナルコンピュータ（ＰＣ）
２  資産管理番号
３  ＰＣメーカーロゴ
４  セットアップ画面
５  資産管理番号の表示欄
６  資産管理番号の編集ボタン
７  ＰＣ起動時の資産管理番号の表示ボタン
８  ＰＣ起動時の資産管理番号の非表示ボタン
９  資産管理番号の設定画面
１０  資産管理番号の入力欄
１１  資産管理番号の登録ボタン
２０  資産管理番号を印刷したラベルシール
【図１】
2008139959.tif 000003
【図２】
2008139959.tif 000004
【図３】
2008139959.tif 000005
【図４】
2008139959.tif 000006